(57)【特許請求の範囲】
【請求項１】
特定の映像・音声情報を含む映像・音声ストリームを受信する受信装置と、前記特定の映像・音声情報に対する関連情報を管理し、前記受信装置からの問い合わせに応じて前記関連情報を提供する情報管理サーバとを備えた情報提供システムにおいて、
前記受信装置は、
外部から前記映像・音声ストリームを受信する受信部と、
前記受信部により受信された映像・音声ストリームを記憶するとともに、当該映像・音声ストリーム内の各映像・音声情報に付加された時刻情報を記憶時刻情報として記憶する記憶部と、
前記記憶部に記憶された映像・音声ストリームを再生する再生部と、
前記再生部により再生されたコンテンツを特定するコンテンツ情報を当該コンテンツの映像・音声ストリームから抽出するとともに、当該映像・音声ストリーム内の映像・音声情報に対応する記憶時刻情報を前記記憶部から抽出する抽出部と、
前記抽出部により抽出されたコンテンツ情報及び記憶時刻情報を前記情報管理サーバへ送信し、当該情報管理サーバから当該コンテンツ情報及び記憶時刻情報に応じた前記関連情報を受信する受信装置側通信部とを備え、
前記情報管理サーバは、
前記特定の映像・音声情報に付加された時刻情報とともに前記関連情報をコンテンツ毎に記憶する関連情報記憶部と、
前記受信装置側通信部により送信されたコンテンツ情報及び記憶時刻情報を用いて前記関連情報記憶部から該当するコンテンツの関連情報を取り出す検索部と、
前記検索部により取り出された関連情報を前記受信装置に送信するサーバ側通信部とを備えた
ことを特徴とする情報提供システム。
【請求項２】
前記記憶部は、前記記憶時刻情報に代えて、前記記憶部に記憶された映像・音声ストリーム内の先頭の映像・音声情報に付加された時刻情報を先頭時刻情報として記憶し、
前記抽出部は、前記再生部により再生された映像・音声ストリーム内の映像・音声情報に対応する記憶時刻情報を、前記記憶部に記憶された先頭時刻情報、及び、当該映像・音声情報と前記先頭の映像・音声情報とのオフセット時間を用いて抽出する
ことを特徴とする請求項１記載の情報提供システム。
【請求項３】
前記受信部は、放送局から放送された映像・音声ストリームを受信する
ことを特徴とする請求項１又は請求項２記載の情報提供システム。
【請求項４】
前記受信部は、ネットワークを経由して映像・音声ストリームを受信する
ことを特徴とする請求項１又は請求項２記載の情報提供システム。
【請求項５】
前記受信装置は、
前記再生部により再生されたコンテンツの映像・音声ストリーム内の所定の映像・音声情報に対して関連情報を作成する作成部を備え、
前記抽出部は、前記作成部により関連情報が作成されたコンテンツを特定するコンテンツ情報及び当該コンテンツの映像・音声情報に対応する記憶時刻情報を抽出し、
前記受信装置側通信部は、前記作成部により作成された関連情報と前記抽出部により抽出されたコンテンツ情報及び記憶時刻情報とを前記情報管理サーバへ送信し、
前記情報管理サーバの関連情報記憶部は、前記受信装置側通信部により送信された関連情報を記憶時刻情報に対応する時刻情報及びコンテンツ情報とともに記憶する
ことを特徴とする請求項１から請求項４のうちのいずれか１項記載の情報提供システム。
【請求項６】
特定の映像・音声情報を含む映像・音声ストリームを受信する受信装置において、
外部から前記映像・音声ストリームを受信する受信部と、
前記受信部により受信された映像・音声ストリームを記憶するとともに、当該映像・音声ストリーム内の各映像・音声情報に付加された時刻情報を記憶時刻情報として記憶する記憶部と、
前記記憶部に記憶された映像・音声ストリームを再生する再生部と、
前記再生部により再生されたコンテンツを特定するコンテンツ情報を当該コンテンツの映像・音声ストリームから抽出するとともに、当該映像・音声ストリーム内の映像・音声情報に対応する記憶時刻情報を前記記憶部から抽出する抽出部と、
前記抽出部により抽出されたコンテンツ情報及び記憶時刻情報を情報管理サーバへ送信し、前記情報管理サーバから、当該コンテンツ情報及び記憶時刻情報で特定されるコンテンツの映像・音声ストリーム内の映像・音声情報に対する関連情報を受信する通信部と
を備えたことを特徴とする受信装置。
【請求項７】
映像・音声ストリームに含まれる特定の映像・音声情報に対する関連情報を管理し、受信装置からの問い合わせに応じて前記関連情報を提供する情報管理サーバにおいて、
前記特定の映像・音声情報に付加された時刻情報とともに前記関連情報をコンテンツ毎に記憶する関連情報記憶部と、
前記受信装置により送信された、当該受信装置で再生されたコンテンツを特定するコンテンツ情報及び当該コンテンツの映像・音声ストリーム内の映像・音声情報に対応する時刻情報である記憶時刻情報を用いて、前記関連情報記憶部から該当するコンテンツの関連情報を取り出す検索部と、
前記検索部により取り出された関連情報を前記受信装置に送信する通信部と
を備えたことを特徴とする情報管理サーバ。
【発明の詳細な説明】
【技術分野】
【０００１】
この発明は、放送番組やネットワークを経由して提供される映像・音声ストリーム、及びＤＶＤ等のメディアで提供される映像・音声ストリームに含まれるコマーシャルや番組宣伝用ＣＭ等の映像・音声情報に対する関連情報を提供する情報提供システム、受信装置及び情報管理サーバに関するものである。
【背景技術】
【０００２】
従来の情報提供システムにおいて、放送番組内のコマーシャルで紹介された情報や番組宣伝用ＣＭで宣伝された番組の番組情報の関連情報を取得し、番組情報を取得した場合に視聴・録画予約を実施するものについて開示されている（例えば特許文献１参照）。【０００３】
この特許文献１では、まず、放送番組を受信・再生するユーザ端末で、ユーザが選択した当該番組内の所定のコマーシャルや番組宣伝用ＣＭの画像情報及び音響情報を情報管理サーバに通知する。一方、情報管理サーバでは、放送された各コマーシャルや番組宣伝用ＣＭの画像情報及び音響情報を関連情報とともに管理している。そして、情報管理サーバは、ユーザ端末からの画像情報及び音響情報に対して適合検索を実施し、コマーシャルや番組宣伝用ＣＭを特定する。そして、特定したコマーシャルや番組宣伝用ＣＭに対する関連情報をユーザ端末に送信している。【０００４】
また、ハードディスクレコーダ等に録画した放送番組を視聴している際に関連情報を問い合わせる場合には、この番組のオリジナルの放送日時とチャンネルの情報を用いる。これにより、ライブ放送番組に限らず、録画放送番組に対しても適用することが可能となる。
なお、情報管理サーバが管理するコマーシャルや番組宣伝用ＣＭに対する関連情報は、コマーシャル提供者及びテレビ番組製作者から提供を受けて構築したものである。
【先行技術文献】
【特許文献】
【０００５】
【特許文献１】特開２０１０−２３３０２０号公報
【発明の概要】
【発明が解決しようとする課題】
【０００６】
しかしながら、特許文献１に開示された従来の情報提供システムでは、録画再生時に視聴したコマーシャルや番組宣伝用ＣＭに対する関連情報を情報管理サーバに問い合わせる際に、番組全体の放送日時を通知している。そのため、情報管理サーバで、該当するコマーシャルや番組宣伝用ＣＭを検索するのに時間がかかるという課題があった。また、情報管理サーバによる画像情報及び音響情報を用いた適合検索は時間がかかるという課題があった。【０００７】
この発明は、上記のような課題を解決するためになされたもので、録画再生時に視聴したコマーシャルや番組宣伝用ＣＭ等の映像・音声情報に対する関連情報を情報管理サーバから取得する際に情報管理サーバでの適合検索時間を短縮化することができる情報提供システム、受信装置及び情報管理サーバを提供することを目的としている。
【課題を解決するための手段】
【０００８】
この発明に係る情報提供システムは、特定の映像・音声情報を含む映像・音声ストリームを受信する受信装置と、特定の映像・音声情報に対する関連情報を管理し、受信装置からの問い合わせに応じて関連情報を提供する情報管理サーバとを備えたシステムであって、受信装置は、外部から映像・音声ストリームを受信する受信部と、受信部により受信された映像・音声ストリームを記憶するとともに、当該映像・音声ストリーム内の各映像・音声情報に付加された時刻情報を記憶時刻情報として記憶する記憶部と、記憶部に記憶された映像・音声ストリームを再生する再生部と、再生部により再生されたコンテンツを特定するコンテンツ情報を当該コンテンツの映像・音声ストリームから抽出するとともに、当該映像・音声ストリーム内の映像・音声情報に対応する記憶時刻情報を記憶部から抽出する抽出部と、抽出部により抽出されたコンテンツ情報及び記憶時刻情報を情報管理サーバへ送信し、当該情報管理サーバから当該コンテンツ情報及び記憶時刻情報に応じた関連情報を受信する受信装置側通信部とを備え、情報管理サーバは、特定の映像・音声情報に付加された時刻情報とともに関連情報をコンテンツ毎に記憶する関連情報記憶部と、受信装置側通信部により送信されたコンテンツ情報及び記憶時刻情報を用いて関連情報記憶部から該当するコンテンツの関連情報を取り出す検索部と、検索部により取り出された関連情報を受信装置に送信するサーバ側通信部とを備えたものである。
【発明の効果】
【０００９】
この発明によれば、上記のように構成したので、録画再生時に視聴したコマーシャルや番組宣伝用ＣＭ等の映像・音声情報に対する関連情報を情報管理サーバから取得する際に、情報管理サーバでの適合検索時間を短縮化することができる。
【図面の簡単な説明】
【００１０】
【図１】この発明の実施の形態１に係る情報提供システムの構成を示す図である。
【図２】この発明の実施の形態１に係る放送局の構成を示す図である。
【図３】この発明の実施の形態１における番組配列情報の例を示す図である。
【図４】この発明の実施の形態１における番組枠編成情報の例を示す図である。
【図５】この発明の実施の形態１に係る情報管理サーバの構成を示す図である。
【図６】この発明の実施の形態１に係る録画機能付き受信機の構成を示す図である。
【図７】この発明の実施の形態１における録画番組枠情報の例を示す図である。
【図８】この発明の実施の形態１における再生履歴の例を示す図である。
【図９】この発明の実施の形態１に係る情報提供システムによる、録画機能付き受信機が番組録画を行うまでの動作を示すフローチャートである。
【図１０】この発明の実施の形態１に係る情報提供システムによる、録画機能付き受信機が関連情報を問い合わせて取得するまでの動作を示すフローチャートである。
【発明を実施するための形態】
【００１１】
以下、この発明の実施の形態をより詳細に説明するために、この発明を実施するための形態について、添付の図面に従って説明する。
実施の形態１．
図１はこの発明の実施の形態１に係る情報提供システムの構成を示す図である。
情報提供システムは、図１に示すように、放送局１、情報管理サーバ２、録画機能付き受信機（受信装置）３及びインターネット等のネットワーク４から構成されている。
ここで、録画機能付き受信機３は、放送局１により放送された番組（映像・音声ストリーム）を受信する映像装置とハードディスクレコーダのような録画端末との組み合わせであってもよいし、ネットワーク４を経由してコンテンツプロバイダや動画配信サービス／動画共有サービス等（不図示）から提供される映像・音声ストリームを受信・蓄積するＰＣ等であってもよい。なお以下では、録画機能付き受信機３として放送番組を受信・録画するものを想定して説明を行う。
【００１２】
次に、放送局１の構成について説明する。図２はこの発明の実施の形態１に係る放送局１の構成を示す図である。
放送局１は番組を放送するものである。この放送局１は、図２に示すように、送出部１０１、番組配列情報生成部１０２、番組枠編成情報生成部１０３及び通信部１０４から構成されている。
【００１３】
送出部１０１は、放送波（放送ストリーム）を送出するものである。
番組配列情報生成部１０２は、放送波に含まれる番組に関する情報である番組配列情報５を生成するものである。この番組配列情報生成部１０２により生成された番組配列情報５は、番組とともに多重化されて、送出部１０１により放送波として送出される。この番組配列情報５の詳細については後述する。
【００１４】
番組枠編成情報生成部１０３は、放送波に含まれる番組の番組枠（各放送時刻）に関する情報である番組枠編成情報６を生成するものである。この番組枠編成情報６の詳細については後述する。
通信部１０４は、番組枠編成情報生成部１０３により生成された番組枠編成情報６をネットワーク４を経由して情報管理サーバ２へ送信するものである。
【００１５】
次に、番組配列情報生成部１０２により生成される番組配列情報５について、図３を参照しながら説明する。なお以下では、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）準拠のデジタル放送を前提にして説明を行うが、サーバ型放送のメタデータや他の手段にて代替することも可能である。
番組配列情報５は、図３に示すように、ＢＩＴ（Ｂｒｏａｄｃａｓｔｅｒ  Ｉｎｆｏｒｍａｔｉｏｎ  Ｔａｂｌｅ）５０１及びＴＯＴ（Ｔｉｍｅ  Ｏｆｆｓｅｔ  Ｔａｂｌｅ）５０２から構成されている。
【００１６】
ＢＩＴ５０１は、番組を放送する放送局１に関連する情報が記載されたものである。図３では、ＢＩＴ５０１のハイパーリンク記述子に、情報管理サーバ２へのアクセス先アドレス情報であるＵＲＬ（Ｕｎｉｆｏｒｍ  Ｒｅｓｏｕｒｃｅ  Ｌｏｃａｔｏｒ）が記載されている。録画予約付き受信機３を操作しているユーザは、この情報を基に情報管理サーバ２へアクセスすることが可能となる。
【００１７】
ＴＯＴ５０２は、現在時刻が、番組配列情報５とともに放送される番組の映像・音声情報の放送時刻として記載されたものである。録画機能付き受信機３は、この情報を基に現在時刻の時刻補正を実施することが可能となる。
なお、録画機能付き受信機３がコンテンツプロバイダや動画配信サービス／動画共有サービス等が提供する映像・音声ストリームを受信する場合、この映像・音声ストリーム等に番組配列情報が付加されていない場合がある。この場合には、メタデータ等、別の情報を用いて情報管理サーバ２へのアクセス先を付加することが可能である。また、時刻補正についても、例えばネットワーク４でのＮＴＰ（Ｎｅｔｗｏｒｋ  Ｔｉｍｅ  Ｐｒｏｔｏｃｏｌ）による時刻補正にて現在時刻に合わせることが考えられる。
【００１８】
次に、番組枠編成情報生成部１０３により生成される番組枠編成情報６について、図４を参照しながら説明する。
番組枠編成情報６は、放送局１で放送された番組の各放送時刻での情報を記載したものである。図４に示すように、例えば「○○ニュース」の枠（２０１１年２月１９日の１９時００分〜２０時００分）には、「タイトル」、「ＣＭ（コマーシャル）１〜５」、「本編１，２」及び「番宣（番組宣伝用ＣＭ）Ａ〜Ｃ」が設定されている。なお、「番宣Ａ」は、番組Ａ『○○料理ショー』の番組宣伝として、２０１１年２月１９日の１９時０２分１５秒〜１９時０２分３０秒の枠に設定され、「番宣Ｂ 」は、番組Ｂ『ドラマ○○』の番組宣伝として、２０１１年２月１９日の１９時２９分４５秒〜１９時３０分００秒の枠に設定されている。
【００１９】
また、「ＣＭ１〜５」には、ＣＭ１〜５で紹介された情報がそれぞれ対応付けられている。同様に、「番宣Ａ〜Ｃ」には、番宣Ａ〜Ｃで宣伝された番組の番組情報がそれぞれ対応付けられている。例えば、「番宣Ａ」には、『○○料理ショー』の番組情報（番組名や放送日時等）が対応付けられている。なお、『○○料理ショー』は、２０１１年２月２１日の２０時００分００秒〜２１時００分００秒に放送される番組である。
【００２０】
次に、情報管理サーバ２の構成について説明する。図５はこの発明の実施の形態１に係る情報管理サーバ２の構成を示す図である。
情報管理サーバ２は、番組（映像・音声ストリーム）内の映像・音声情報に対する関連情報を管理し、録画機能付き受信機３からの問い合わせに応じて関連情報を提供するものである。この情報管理サーバ２は、図５に示すように、通信部２０１、制御部２０２、記憶部（関連情報記憶部）２０３及び検索部２０４から構成されている。
【００２１】
通信部２０１は、放送局１の通信部１０４からネットワーク４を経由して送信された番組枠編成情報６を受信するものである。
また、通信部２０１は、録画機能付き受信機３の通信部３１０からネットワーク４を経由して送信された再生履歴８（図８参照）を受信する。そして、この再生履歴８を基に検索部２０４で検索されて取り出された映像・音声情報に対する関連情報（コマーシャルで紹介された情報や番組宣伝用ＣＭで宣伝された番組の番組情報等）をネットワーク４を経由して録画機能付き受信機３へ送信する。
【００２２】
制御部２０２は、通信部２０１により受信された番組枠編成情報６を記憶部２０３に順次、記憶させていくものである。
記憶部２０３は、制御部２０２による制御に従い、番組枠編成情報６を記憶するものである。
【００２３】
検索部２０４は、通信部２０１により受信された再生履歴８に記載された情報（チャンネル情報８０１・再生した録画時刻８０２）と記憶部２０３に記憶された番組編成情報６とを照らし合わせて、記憶部２０３から該当する映像・音声情報を検索するものである。そして、検索した映像・音声情報に対する関連情報を抽出する。
【００２４】
次に、録画機能付き受信機３の構成について説明する。図６はこの発明の実施の形態１に係る録画機能付き受信機３の構成を示す図である。
録画機能付き受信機３は、番組（映像・音声ストリーム）を受信・録画し、再生した録画番組内の映像・音声情報に対する関連情報を情報管理サーバ２に問い合わせるものである。この録画機能付き受信機３は、図６に示すように、リモコン３０１、放送受信部（受信部）３０２、多重分離部３０３、録画番組枠情報生成部３０４、記憶部（データ記憶部、時刻情報記憶部）３０５、復号部（再生部）３０６、映像出力部（再生部）３０７、音声出力部（再生部）３０８、制御部（抽出部）３０９及び通信部３１０から構成されている。
【００２５】
リモコン３０１は、ユーザ操作を受け付けるものである。
放送受信部３０２は、リモコン３０１により受け付けられたユーザ操作に従い、放送局１の送出部１０１により送出された放送波の中から指定されたチャンネルの放送波を受信するものである。
多重分離部３０３は、放送受信部３０２により受信された放送波を多重分離し、番組（映像・音声ストリーム）及び番組配列情報５を取り出すものである。
【００２６】
録画番組枠情報生成部３０４は、多重分離部３０３により取り出された番組配列情報５を基に録画番組枠情報７を生成するものである。この録画番組枠情報生成部３０４により生成される録画番組枠情報７の詳細については後述する。
【００２７】
記憶部３０５は、多重分離部３０３により取り出された映像・音声ストリーム及び録画番組枠情報生成部３０４により生成された上記映像・音声ストリームの録画番組枠情報７を対応付けて記憶するものである。
【００２８】
復号部３０６は、リモコン３０１により受け付けられたユーザ操作に従い、記憶部３０５に記憶された映像・音声ストリームの中から指定された映像・音声ストリームを取り出し、復号するものである。なお、ユーザが現在放送されている番組を視聴する場合には、復号部３０６は、多重分離部３０３により取り出された映像・音声ストリームを復号する。
【００２９】
映像出力部３０７は、復号部３０６により復号されて出力された映像信号を基に映像を画面上に表示するものである。また、映像出力部３０７は、通信部３１０により受信された関連情報（コマーシャルで紹介された情報や番組宣伝用ＣＭで宣伝された番組の番組情報等）を画面上に表示する。
音声出力部３０８は、復号部３０６により復号されて出力された音声信号を基に音声を出力するものである。
【００３０】
制御部３０９は、ユーザによる録画番組の再生に伴い、記憶部３０５に記憶された当該録画番組の録画番組枠情報７を基にユーザの再生履歴８の記憶を開始するものである。この再生履歴８の詳細については後述する。また、制御部３０９は、リモコン３０１により受け付けられたユーザ操作に従い、再生履歴８を通信部３１０へ送信する。
【００３１】
通信部３１０は、制御部３０９により送信された再生履歴８をネットワーク４を経由して情報管理サーバ２へ送信し、情報管理サーバ２からネットワーク４を経由して送信された関連情報を受信するものである。
【００３２】
次に、録画番組枠情報生成部３０４により生成される録画番組枠情報７について、図７を参照しながら説明する。なお、本実施の形態ではＡＲＩＢ準拠のデジタル放送を前提に説明を行っているため、録画番組枠情報７としてＳＩＴ（Ｓｅｌｅｃｔｉｏｎ  Ｉｎｆｏｒｍａｔｉｏｎ  Ｔａｂｌｅ）を用いることとする。ＳＩＴとは、録画情報として蓄積される番組配列情報の一つで、録画時の放送時刻を記載することができるものである。
この録画番組枠情報７には、図７に示すように、録画する番組のチャンネル情報７０１、録画時刻（記憶時刻情報）７０２及びＵＲＬ７０３が記載されている。
【００３３】
ここで、録画番組枠情報生成部３０４は、録画する番組とともに放送局１から送出された番組配列情報５のＴＯＴ５０２に記載された放送時刻を用いて、録画時刻７０２を記載する。なお、この録画時刻７０２は数秒単位の更新周期で更新される。
また、録画番組枠情報７を周期的には更新せず、番組単位（番組の先頭のみ）で生成するようにしてもよい。この場合には、録画時刻７０２として、録画配列情報５のＴＯＴ５０２に記載された放送時刻（放送開始時刻）のみを記載する。また、番組を途中から録画する場合において、録画番組枠情報７を番組単位で生成する場合には、録画時刻７０２として、録画を開始した部分（映像・音声情報）の放送時刻のみを記載する。
【００３４】
また、録画番組枠情報生成部３０４は、録画する番組とともに放送局１から送出された番組配列情報５のＢＩＴ５０１に記載されたＵＲＬを用いて、ＵＲＬ７０３を記載する。
ここで、デジタル放送ではＳＩＴに録画時刻７０２やＵＲＬ７０３を記載しているが、別の手段によって記憶部３０５に記憶するようにしても問題ない。特にコンテンツプロバイダや動画配信サービス／動画共有サービス等から提供される映像・音声ストリーム等、ユーザが録画したコンテンツではないものの場合には、ＳＩＴと同等の情報を保持した録画番組枠情報を上記コンテンツに付加することで同様の動作をさせることが可能である。
【００３５】
次に、制御部３０９により記憶される再生履歴８について、図８を参照しながら説明する。
再生履歴８は、ユーザによる録画番組の再生に関する履歴情報であり、図８に示すように、再生した録画番組（コンテンツ）のチャンネル情報（コンテンツ情報）８０１及び再生した録画時刻８０２が記載されている。
ここで、制御部３０９は、ユーザが再生している録画番組の録画番組枠情報７に記載されたチャンネル情報７０１を用いて、チャンネル情報８０１を記載する。
また、制御部３０９は、ユーザが再生している録画番組の録画番組枠情報７に記載された録画時刻７０２を用いて、再生した録画時刻８０２（再生を開始した録画時刻〜現在再生している録画時刻（または再生を終了した録画時刻））を記載する。
【００３６】
なお、録画番組枠情報７が周期的ではなく番組単位（番組の先頭のみ）で生成されている場合には、この録画番組枠情報７に記載された録画時刻（放送開始時刻）７０２と番組の先頭からのオフセット時間とを用いて、再生した録画時刻８０２を記載する。また、番組が途中から録画された場合において、録画番組枠情報７が番組単位で生成されている場合にも同様に、この録画番組枠情報７に記載された録画時刻（録画開始した部分の放送時刻）７０２と録画を開始した部分からのオフセット時間とを用いて、再生した録画時刻８０２を記載する。
【００３７】
次に、上記のように構成された情報提供システムの動作について説明する。
まず、放送局１が番組放送を行い、録画機能付き受信機３が番組録画を行うまでの動作について、図９を参照しながら説明する。
図９に示すように、まず、放送局１の番組配列情報生成部１０２は、放送局１で放送する番組に関する情報である番組配列情報５（ＢＩＴ５０１，ＴＯＴ５０２）を生成する。そして、送出部１０１は、この番組配列情報５を上記番組ととともに多重化して放送波として送出する（ステップＳＴ９１）。
【００３８】
また、番組枠編成情報生成部１０３は、番組配列情報生成部１０２での番組配列情報５の生成に合わせて、上記番組の番組枠に関する情報である番組枠編成情報６を生成する。そして、通信部１０４は、この番組枠編成情報６をネットワーク４を経由して情報管理サーバ２へ送信する（ステップＳＴ９２）。ここでは、番組枠編成情報６の送信単位は番組単位であるとし、番組終了時に一番組分の番組枠編成情報６を情報管理サーバ２へ送信することとする。
なお、番組枠編成情報６の送信単位を所定の周期単位（例えば１秒単位）にする等して、番組の途中でユーザからの情報管理サーバ２へのアクセスを可能にするようにしてもよい。
【００３９】
次いで、情報管理サーバ２の通信部２０１は、放送局１の通信部１０４からネットワーク４を経由して送信された番組枠編成情報６を受信する。そして、制御部２０２は、この番組枠編成情報６を記憶部２０３に順次、記憶していく（ステップＳＴ９３）。これにより、情報管理サーバ２は、図４に示すような、放送局１で放送された番組の番組枠（各放送時刻）に関する情報を取得することができる。
【００４０】
一方、録画機能付き受信機３の放送受信部３０２は、リモコン３０１により受け付けられたユーザ操作に従い、放送局１の送出部１０１から送出された放送波の中から指定されたチャンネルの放送波を受信する。そして、多重分離部３０３は、この放送波を多重分離することで番組（映像・音声ストリーム）及び番組配列情報５を取り出す（ステップＳＴ９４）。
【００４１】
次いで、録画番組枠情報生成部３０４は、多重分離部３０３により取り出された番組配列情報５を基に録画番組枠情報７を生成する。ここでは、周期的に録画番組枠情報７を更新するものとする。そして、記憶部３０５は、多重分離部３０３により取り出された映像・音声ストリーム及び録画番組枠情報生成部３０４により生成された当該映像・音声ストリームの録画番組枠情報７を対応付けて記憶する（ステップＳＴ９５）。これにより、録画機能付き受信機３は、図７に示すような、録画した番組に関する情報（チャンネル情報７０１、録画時刻７０２、情報管理サーバ２のＵＲＬ７０３）を記憶することができる。
【００４２】
次に、録画機能付き受信機３で録画番組を再生し、再生した番組内の映像・音声情報に対する関連情報を問い合わせて、情報管理サーバ２から当該関連情報を取得するまでの動作について、図１０を参照しながら説明する。なお以下では、映像・音声情報に対する関連情報として、番組宣伝用ＣＭで宣伝された番組の番組情報を取得する場合について説明する。
図１０に示すように、まず、リモコン３０１は、ユーザから録画番組の再生要求を受け付ける。そして、復号部３０６は、記憶部３０５に記憶された番組の中から指定された番組を取り出して復号し、映像出力部３０７及び音声出力部３０８にて映像及び音声を出力する（ステップＳＴ１０１）。これにより、ユーザは所望の録画番組を視聴することができる。
【００４３】
一方、制御部３０９は、ユーザによる録画番組の再生に伴い、記憶部３０５に記憶された当該録画番組の録画番組枠情報７を基にユーザの再生履歴８の記憶を開始する（ステップＳＴ１０２）。これにより、制御部３０９は、図８に示すような、再生履歴８（チャンネル情報８０１、再生した録画時刻８０２）を記憶することができる。
なお、連続して同一チャンネルの録画番組を再生する場合には、再生した録画時刻８０２として、最初の録画番組枠情報７に記載された放送時刻７０２と、最後の録画番組枠情報７に記載された放送時刻７０２＋録画番組枠情報７の更新周期とを記載するようにしてもよい。
【００４４】
次いで、録画機能付き受信機３にて例えば図４の「○○ニュース」を再生している最中に、ユーザが番宣Ａを視聴したとする。その後（その直後、その後の再生途中、または再生終了後）、ユーザが番宣Ａで宣伝された番組（『○○料理ショー』）の録画予約または視聴予約を実施したくなったとする。この場合、ユーザは、リモコン３０１を操作して、録画番組のうち、再生した期間内で放送された番組宣伝用ＣＭで宣伝された番組の番組情報の取得を要求する（ステップＳＴ１０３）。
次いで、制御部３０９は、ユーザからの番組情報取得要求に応じて、記憶しているユーザの再生履歴８を通信部３１０へ送信する。そして、通信部３１０は、再生履歴８をネットワーク４を経由して情報管理サーバ２へ送信する（ステップＳＴ１０４）。
【００４５】
次いで、情報管理サーバ２の通信部２０１は、録画機能付き受信機３の通信部３１０からネットワーク４を経由して送信された再生履歴８を受信する。そして、検索部２０４は、この再生履歴８に記載された情報（チャンネル情報８０１・再生した録画時刻８０２）と記憶部２０３に記憶された番組枠編成情報６とを照らし合わせて、ユーザが再生した映像・音声ストリーム内に存在する全ての番組宣伝用ＣＭを検索する（ステップＳＴ１０５）。
ここで、例えば図８に示すように、ユーザが、録画時刻が２０１１／０２／１９の１９：０１：５５〜１９：１０：１０までの映像・音声ストリームを再生した場合には、図４において、上記期間内に放送された番組宣伝用ＣＭ（番宣Ａ）が検索される。この際、情報管理サーバ２は、ユーザが再生した再生履歴８と番組枠編成情報６に記載された映像・音声情報（番組宣伝用ＣＭ）が放送された時刻とを用いて、番組宣伝用ＣＭの検索を行っているため、従来のような番組全体の放送日時や画像情報及び音響情報に基づく検索処理に対して検索時間を削減することができる。
【００４６】
次いで、検索部２０４は、検索した番組宣伝用ＣＭで宣伝された番組の番組情報を取り出す。そして、通信部２０１は、検索部２０４による検索結果である番組情報を録画機能付き受信機３へ送信する（ステップＳＴ１０６）。これにより、例えば上記例では、番宣Ａで宣伝された番組Ａ『○○料理ショー』の番組情報（番組名や放送日時等）が録画機能付き受信機３へ通知される。
【００４７】
次いで、録画機能付き受信機３の通信部３１０は、情報管理サーバ２からネットワーク４を経由して送信された番組情報を受信する。そして、映像出力部３０７は、この番組情報を表示して、ユーザが録画予約または視聴予約を選択できるようにする（ステップＳＴ１０７）。
【００４８】
なお上記では、ユーザの再生履歴８を基に番組宣伝用ＣＭの検索を実施する場合について示したが、この場合、再生した期間内で放送された全ての番組宣伝用ＣＭで宣伝された番組情報を取得することになる。これに対して、番組内の番組宣伝用ＣＭを視聴した際に、リモコン３０１によりピンポイントで録画時刻８０２を指定するようにしてもよい。これにより、情報管理サーバ２から得られる番組情報は１つとなり、複数の番組情報から録画予約・視聴予約対象の番組を選択する必要がなくなる。
また上記では、録画予約・視聴予約を行うために番組情報を取得する場合について示したが、これに限らず、その他の用途で番組情報を取得したい場合にも同様の処理にて取得することができる。
【００４９】
また上記では、番組宣伝用ＣＭで宣伝された番組の番組情報を取得する場合について示したが、これに限るものではなく、コマーシャルで紹介された製品やサービスについての情報、番組（例えばドラマ）の中で使用された製品等に関する情報等を取得する場合にも同様に適用可能である。
また上記では、放送番組に含まれる映像・音声情報に対する関連情報を取得する場合について示したが、コンテンツプロバイダや動画配信サービス／動画共有サービスからネットワーク４を経由して提供される映像・音声ストリームや、ＤＶＤ等のメディアで提供される映像・音声ストリームに含まれる映像・音声情報に対する関連情報を取得する場合にも同様に適用可能である。
【００５０】
以上のように、この実施の形態１によれば、録画再生時に視聴したコマーシャルや番組宣伝用ＣＭに対する関連情報を情報管理サーバから取得する際に、録画番組自体の放送日時や画像情報及び音響情報を用いず、映像・音声情報が放送された時刻を用いるように構成したので、検索時間を大幅に短縮することができる。
【００５１】
実施の形態２．
実施の形態１では、情報管理サーバ２が、放送局１からの情報のみを受け付けてユーザへの情報提供を行う場合について示した。それに対して、実施の形態２では、情報管理サーバ２が、放送局１からの情報だけではなく、ユーザから提供された情報も受け付ける場合について示す。
実施の形態２に係る情報提供システム及び各部１〜３の内部構成は、図１，２，５，６に示す実施の形態１に係る情報提供システムの構成及び各部１〜３の内部構成と同様であり、以下では図１，２，５，６を参照しながら説明を行う。
【００５２】
なお、図６に示す録画機能付き受信機３の映像出力部３０７は、リモコン３０１により受け付けられたユーザ操作に従い、画面上にソフトウェアキーボードを表示することができ、文字情報が入力できるものとする。すなわち、映像出力部３０７は、再生された録画番組（映像・音声ストリーム）内の所定の映像・音声情報に対して関連情報を作成する作成部として機能する。
【００５３】
次に、実施の形態２に係る情報提供システムの動作について説明する。
なお以下では、録画機能付き受信機３にて録画番組を再生している最中に、ユーザが所定の映像・音声情報に対して、この映像・音声情報に対する関連情報を手動で作成し、情報管理サーバ２に登録する場合の動作について説明する。ここで、ユーザによる登録手段としては、録画機能付き受信機３だけでなく、ハードディクスレコーダやＰＣ、スマートフォン、携帯電話等を用いることも可能である。
【００５４】
まず、ユーザは、録画機能付き受信機３にて録画番組を再生している最中に、関連情報の作成対象である映像・音声情報が画面上に表示された際に再生を一時停止する。また、制御部３０９は、再生が一時停止された際の録画時刻７０２を保持する。
【００５５】
次いで、映像出力部３０７は、ユーザ操作に従い、画面上にソフトウェアキーボードを表示し、上記映像・音声情報に対する関連情報を入力する。例えば、録画したドラマを視聴している際に、このドラマで登場したレストランの位置情報等を入力する。
次いで、制御部３０９は、ユーザによる入力情報、チャンネル情報７０１及び保持している録画時刻７０２を合わせて通信部３１０に送信する。そして、通信部３１０は、これらの情報をネットワーク４を経由して情報管理サーバ２へ送信する。
【００５６】
次いで、情報管理サーバ２の通信部２０１は、録画機能付き受信機３からネットワーク４を経由して送信された情報（入力情報、チャンネル情報７０１及び録画時刻７０２）を受信する。
次いで、検索部２０４は、チャンネル情報７０１及び録画時刻７０２を基に記憶部２０３から該当する番組枠編成情報６を検索する。そして、制御部２０２による制御に従い、記憶部２０３は、当該番組枠編成情報６の該当する時間枠に上記入力情報を追加する。これにより、ユーザが手動で作成した所定の映像・音声情報に対する関連情報を情報管理サーバ２に登録することができる。
【００５７】
また上記では、放送番組に含まれる映像・音声情報に対する関連情報を追加する場合について示したが、コンテンツプロバイダや動画配信サービス／動画共有サービスからネットワーク４を経由して提供される映像・音声ストリームや、ＤＶＤ等のメディアで提供される映像・音声ストリームに含まれる映像・音声情報に対する関連情報を追加する場合にも同様に適用可能である。
【００５８】
以上のように、この実施の形態２によれば、ユーザが手動で関連情報を作成し、情報管理サーバ２は、放送局１から提供される情報だけでなく、ユーザから提供される情報も受け付けるように構成したので、番組枠編成情報６の拡張性を飛躍的に広げることができる。
【００５９】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００６０】
この発明に係る情報提供システムは、録画再生時に視聴したコマーシャルや番組宣伝用ＣＭに対する関連情報を情報管理サーバから取得する際に、検索時間を大幅に短縮することができ、放送番組やネットワークを経由して提供される映像・音声ストリーム、及びＤＶＤ等のメディアで提供される映像・音声ストリームに含まれるコマーシャルや番組宣伝用ＣＭ等の映像・音声情報の関連情報を提供する情報提供システム等に用いるのに適している。
【符号の説明】
【００６１】
１  放送局、２  情報管理サーバ、３  録画機能付き受信機（受信装置）、４  ネットワーク、５  番組配列情報、６  番組枠編成情報、７  録画番組枠情報、８  再生履歴、１０１  送出部、１０２  番組配列情報生成部、１０３  番組枠編成情報生成部、１０４  通信部、２０１  通信部、２０２  制御部、２０３  記憶部（関連情報記憶部）、２０４  検索部、３０１  リモコン、３０２  放送受信部（受信部）、３０３  多重分離部、３０４  録画番組枠情報生成部、３０５  記憶部（データ記憶部、時刻情報記憶部）、３０６  復号部（再生部）、３０７  映像出力部（再生部、作成部）、３０８  音声出力部（再生部）、３０９  制御部（抽出部）、３１０  通信部、５０１  ＢＩＴ、５０２  ＴＯＴ、７０１  チャンネル情報、７０２  録画時刻、７０３  ＵＲＬ、８０１  チャンネル情報、８０２  再生した録画時刻。
【図１】
0005557958.tif 000002
【図２】
0005557958.tif 000003
【図３】
0005557958.tif 000004
【図４】
0005557958.tif 000005
【図５】
0005557958.tif 000006
【図６】
0005557958.tif 000007
【図７】
0005557958.tif 000008
【図８】
0005557958.tif 000009
【図９】
0005557958.tif 000010
【図１０】
0005557958.tif 000011